(57)【要約】【課題】  デジタルテレビ放送においてユーザー情報に対応するＣＭ情報・ＣＭ付随情報とリアクション情報の送受信とが可能なシステムの提供。【解決手段】  デジタルテレビ放送を提供するデジタルテレビ放送システムと、これに連動して視聴者に対する双方向通信を行うために備えられるサーバーと、視聴者であるユーザーが備えるユーザー受信装置とを含み構成される。サーバーには複数のＣＭ情報を記憶するＣＭ情報記憶手段と、ユーザー情報記憶手段と、ユーザー受信装置からデジタルテレビ放送を受信するユーザーを判別するユーザー情報判別手段と、判別されたユーザー情報に基づきＣＭ情報を選択するＣＭ情報選択手段と、ＣＭ情報送出手段と、ＣＭ情報に対するリアクション情報を受信するリアクション情報受信手段とを備える。【選択図】  図１
2005210307.tif 000002
【特許請求の範囲】
【請求項１】
デジタルテレビ放送を提供するデジタルテレビ放送システムと、これに連動して視聴者に対する双方向通信を行うために備えられるサーバーと、視聴者であるユーザーが備えるユーザー受信装置とを含み構成されるシステムにおいて、
前記サーバーには、デジタルテレビ放送に連動して放送される複数のＣＭ情報を記憶するＣＭ情報記憶手段と、
デジタルテレビ放送を受信するユーザーのユーザー情報を記憶するユーザー情報記憶手段と、
ユーザー受信装置からデジタルテレビ放送を受信するユーザーを判別するユーザー情報判別手段と、
判別されたユーザー情報に基づき、ＣＭ情報記憶手段に記憶されたＣＭ情報を選択するＣＭ情報選択手段と、
ユーザー受信装置に対し選択されたＣＭ情報を送信するＣＭ情報送出手段と、
ユーザー受信装置から送信されたＣＭ情報に対するリアクション情報を受信するリアクション情報受信手段とを少なくとも備え、
ユーザーとの双方向通信によりデジタルテレビ放送においてユーザー情報に対応するＣＭ情報の送信とＣＭ情報に対するリアクション情報の受信とが可能にされたことを特徴とする、デジタルテレビ放送システム連動型の双方向ＣＭ情報通信システム。
【請求項２】
請求項１に記載の発明において、
デジタルテレビ放送システムにより放送されるデジタルテレビ放送と、これに連動して放送されるＣＭ情報とは、ユーザー受信装置において、別画面に表示されることを特徴とする、デジタルテレビ放送システム連動型の双方向ＣＭ情報通信システム。
【請求項３】
請求項１に記載の発明において、
ユーザー受信装置において、デジタルテレビ放送システムにより放送されるデジタルテレビ放送の合間に挿入されて、ＣＭ情報が同一画面に表示されることを特徴とする、デジタルテレビ放送システム連動型の双方向ＣＭ情報通信システム。
【請求項４】
請求項１〜３のいずれかに記載の発明において、
ＣＭ情報記憶手段に記憶される、デジタルテレビ放送に連動して放送される複数のＣＭ情報は、所定時間の広告・各種案内・情報提供のいずれかの情報ごとのＣＭ情報データファイルであって、ＣＭ情報選択手段が選択するためのＣＭ識別情報に関連付けられて記憶されていることを特徴とする、デジタルテレビ放送システム連動型の双方向ＣＭ情報通信システム。
【請求項５】
請求項１〜４のいずれかに記載の発明において、
ＣＭ情報記憶手段に記憶される、デジタルテレビ放送に連動して放送される複数のＣＭ情報は、所定時間の広告・各種案内・情報提供のいずれかの情報ごとのＣＭ情報データが複数含まれるＣＭデータファイルライブラリであって、
ＣＭデータファイルライブラリに含まれるそれぞれのＣＭ情報データは、ＣＭ情報選択手段が選択するためのＣＭ識別情報に関連付けられて記憶されていることを特徴とする、デジタルテレビ放送システム連動型の双方向ＣＭ情報通信システム。
【請求項６】
請求項１〜５のいずれかに記載の発明において、
ＣＭ情報記憶手段に記憶される、デジタルテレビ放送に連動して放送される複数のＣＭ情報は、期間ごとに発行される紙媒体に掲載される広告・クーポン・各種案内・情報提供のスポンサーと同一スポンサーが提供するＣＭ情報であって、当該紙媒体の期間ごとに対応して編集され、ＣＭ情報データが複数含まれるＣＭデータファイルライブラリであることを特徴とする、デジタルテレビ放送システム連動型の双方向ＣＭ情報通信システム。
【請求項７】
請求項１〜６のいずれかに記載の発明において、
ユーザー情報記憶手段に記憶されるユーザー情報には、ユーザーを識別するユーザー識別情報、ユーザー受信装置を識別する受信装置識別情報、ユーザーの地域情報その他の属性を識別するユーザー属性識別情報、期間ごとに発行される紙媒体に掲載される広告・クーポン・各種案内・情報提供に対するユーザーからのリアクション、の内の少なくともいずれかが含まれており、
ユーザー情報判別手段は、ユーザー受信装置からデジタルテレビ放送を受信するユーザーを判別し、
判別されたユーザー情報に基づき、ＣＭ情報選択するＣＭ情報選択手段がＣＭ情報記憶手段に記憶された前記のＣＭ情報を選択することを特徴とする、デジタルテレビ放送システム連動型の双方向ＣＭ情報通信システム。
【請求項８】
請求項１〜７のいずれかに記載の発明において、
ＣＭ情報を選択するＣＭ情報選択手段は、判別されたユーザー情報に基づき、ＣＭ情報記憶手段に記憶されたＣＭ情報データファイル、またはＣＭ情報データが複数含まれるＣＭデータファイルライブラリ、またはＣＭデータファイルライブラリに含まれるそれぞれのＣＭ情報データを選択することを特徴とする、デジタルテレビ放送システム連動型の双方向ＣＭ情報通信システム。
【請求項９】
請求項１〜８のいずれかに記載の発明において、
ＣＭ情報を選択するＣＭ情報選択手段は、判別されたユーザー情報と、リアクション情報受信手段により受信された、ユーザー受信装置から送信されたＣＭ情報に対するリアクション情報とに基づき、ＣＭ情報記憶手段に記憶されたＣＭ情報データファイル、またはＣＭ情報データが複数含まれるＣＭデータファイルライブラリ、またはＣＭデータファイルライブラリに含まれるそれぞれのＣＭ情報データを選択することを特徴とする、デジタルテレビ放送システム連動型の双方向ＣＭ情報通信システム。
【請求項１０】
請求項１〜９のいずれかに記載の発明において、
ユーザー受信装置に対し選択されたＣＭ情報を送信するＣＭ情報送出手段は、ユーザー受信装置においてデジタルテレビ放送を受信する際にこれに連動してＣＭ情報を送信しユーザー受信装置において受信されるようにしたことを特徴とする、デジタルテレビ放送システム連動型の双方向ＣＭ情報通信システム。
【請求項１１】
請求項１〜９のいずれかに記載の発明において、
ユーザー受信装置に対し選択されたＣＭ情報を送信するＣＭ情報送出手段は、ユーザー受信装置において自動的に受信され記憶されて、デジタルテレビ放送を受信した際にこれに連動して表示されることを特徴とする、デジタルテレビ放送システム連動型の双方向ＣＭ情報通信システム。
【請求項１２】
請求項１〜１１のいずれかに記載の発明において、
ＣＭ情報記憶手段に記憶されたＣＭ情報に関連付けられて、さらにクーポン情報その他のＣＭ付随情報が記憶されており、ユーザー受信装置において、表示されたＣＭ情報を選択することにより、ＣＭ付随情報の表示、ＣＭ付随情報のダウンロード、ＣＭ付随情報である双方向通信のリンク先への移動のいずれかが可能にされたことを特徴とする、デジタルテレビ放送システム連動型の双方向ＣＭ情報通信システム。
【請求項１３】
請求項１２に記載の発明において、
ＣＭ付随情報である双方向通信のリンク先への移動は、ＣＭ付随情報を利用する商品またはサービスの予約、商品またはサービスの購入、商品またはサービスの利用を行うための双方向通信システムへの移動であることを特徴とする、デジタルテレビ放送システム連動型の双方向ＣＭ情報通信システム。
【請求項１４】
請求項１〜１３のいずれかに記載の発明において、
リアクション情報受信手段が受信する、ユーザー受信装置から送信されたＣＭ情報に対するリアクション情報は、ユーザー受信装置のオン・オフ、ＣＭ情報のユーザー受信装置における受信・ダウンロードまたは表示、ＣＭ付随情報のユーザー受信装置における受信・ダウンロードまたは表示、ＣＭ情報に対するユーザー受信装置におけるリアクション、ＣＭ付随情報に対するユーザー受信装置におけるリアクション、期間ごとに発行される紙媒体に掲載される広告・クーポン・各種案内・情報提供に対するリアクション、のいずれかの情報であることを特徴とする、デジタルテレビ放送システム連動型の双方向ＣＭ情報通信システム。
【請求項１５】
請求項１４に記載の発明において、
ＣＭ情報を選択するＣＭ情報選択手段は、判別されたユーザー情報と、リアクション情報受信手段により受信された、ユーザー受信装置から送信されたＣＭ情報に対するリアクション情報とに基づき、ＣＭ情報記憶手段に記憶されたＣＭ情報データファイルまたはＣＭデータファイルライブラリに含まれるＣＭ情報データをユーザーごとにカスタマイズすることを特徴とする、デジタルテレビ放送システム連動型の双方向ＣＭ情報通信システム。
【請求項１６】
請求項１５に記載の発明において、
ＣＭ情報記憶手段に記憶されたＣＭ情報データファイルまたはＣＭデータファイルライブラリに含まれるＣＭ情報データをユーザーごとにカスタマイズする処理は、さらにユーザー情報記憶手段に記憶されている他のユーザーのリアクション情報を参照してカスタマイズすることを特徴とする、デジタルテレビ放送システム連動型の双方向ＣＭ情報通信システム。
【請求項１７】
請求項１〜１６のいずれかに記載の発明において、
ＣＭ情報記憶手段に記憶されたＣＭ情報データファイルまたはＣＭデータファイルライブラリに含まれるＣＭ情報データごとに、複数のユーザーからのリアクション情報を抽出または集計可能にされたリアクション情報抽出手段がさらに備えられたことを特徴とする、デジタルテレビ放送システム連動型の双方向ＣＭ情報通信システム。
【請求項１８】
請求項１７に記載の発明において、
リアクション情報抽出手段により抽出または集計された複数のユーザーからのリアクション情報に基づき、ＣＭ情報記憶手段に記憶されたＣＭ情報データファイルまたはＣＭデータファイルライブラリに含まれるＣＭ情報データを、所定の抽出条件により抽出可能にされたことを特徴とする、デジタルテレビ放送システム連動型の双方向ＣＭ情報通信システム。
【発明の詳細な説明】
【技術分野】
【０００１】
本発明は、デジタルテレビ放送システム連動型の双方向ＣＭ情報通信システムに関する。
【背景技術】
【０００２】
従来より、テレビ放送などにおいてＣＭが放映されており、またインターネットを利用してのＣＭや広告の配信・表示などを行われている。
また、テレビ放送など放送のデジタル化が進展し、衛星デジタル放送に引き続き地上波デジタル放送のための技術開発が進んでいる。
デジタル放送の技術を用いれば、視聴者と放送局側との双方向通信も可能になるところから、従来のテレビ放送にはない様々な放送内容や放送と連動したコンテンツの利用が企画されている。
こうした中で、デジタルテレビ、デジタル放送を利用してＣＭを放映したり、視聴者にクーポンをダウンロードさせることなども想定されている。
【０００３】
【特許文献１】特開２００３−１３２２５６号公報
【０００４】
たとえば特開２００３−１３２２５６「クーポン券情報発行システム及び表示システム」においては、デジタルテレビが受信したクーポン券情報を、無線技術により、利用者が有する端末の一種である利用者携帯電話に転送することが記載されている。
【発明の開示】
【発明が解決しようとする課題】
【０００５】
ところで、上記の各出願に記載されているように、デジタル放送を利用したＣＭ情報の提供や、広告情報と連動したクーポンの表示などの内容は、従来のテレビや、あるいはインターネットなどの他のメディアにおいて行われていた内容をデジタルテレビ放送で実現するものにすぎないため、デジタルテレビの双方向性を利用することによる利点が明確ではない。また、双方向通信を用いることにより、動画像ＣＭと連動させて各種のデータ処理を行うシステムを構築し、ＣＭ情報に興味を持ったユーザーからのリアクションを受け、個々のユーザーごとに最も効果的にＣＭ情報やクーポンその他のＣＭに付随する情報を提供することが求められている。
【０００６】
【特許文献２】特開２００２−２０７９０７号公報
【０００７】
デジタルテレビ放送の双方向通信に関しては、たとえば特開２００２−２０７９０７「データ送受信システム」においては、デジタル放送番組からチケットデータを受信して、携帯端末に無線で送信する内容が記載されている。
この出願によれば、デジタル放送と、インターネット等の通信とを組み合わせることにより、テレビとは別の携帯端末にデータが送信される。
しかしながら、注文を受けたチケットを配信するための配信先として携帯端末を利用するものであって、双方向通信による処理そのものはデジタル放送により実現可能なこととして知られている通常の処理にすぎない。
【０００８】
【特許文献３】特開２００２−１３２８７４号公報
【０００９】
また、特開２００２−１３２８７４「双方向サービス・エージェントシステム及びそのサービス方法」においては、デジタルテレビ放送の双方向サービス・ビジネスを実施するにあたり、放送局と広告主の間にエージェントシステムを設け、一般視聴者から入力された問合せ、アンケート回答、掲示板への投稿、Ｅコマースに関連した資料請求や注文等の個人利用履歴データを蓄積し、嗜好分析、ターゲット抽出することが記載されている。
しかしながら、得られたデータに基づいて、効果的な放送コンテンツやＣＭを作成したり、イベントの企画を行ったりすることが可能になるという利点が記載されているものの、コンテンツの作成やイベント企画などを行うのは作業者による従来の手作業あるいは頭脳労働であって、データの分析や抽出の結果がそのままデータ処理に反映されるものではない。
【００１０】
そこで本発明においては、上記の様々な課題を解決し、デジタル放送を利用したＣＭ情報の提供や、広告情報と連動したクーポンその他のＣＭに付随する情報の表示などにあたり、デジタルテレビの双方向性を利用することにより、動画像ＣＭと連動させて各種のデータ処理を行うシステムを構築し、ＣＭ情報に興味を持ったユーザーからのリアクションを受け、個々のユーザーごとに最も効果的にＣＭ情報やクーポンその他のＣＭに付随する情報を提供することが可能なシステムを提供することを目的とする。
【課題を解決するための手段】
【００１１】
上記課題を解決するため、請求項１に記載の発明においては、
デジタルテレビ放送を提供するデジタルテレビ放送システムと、これに連動して視聴者に対する双方向通信を行うために備えられるサーバーと、視聴者であるユーザーが備えるユーザー受信装置とを含み構成されるシステムにおいて、
前記サーバーには、デジタルテレビ放送に連動して放送される複数のＣＭ情報を記憶するＣＭ情報記憶手段と、
デジタルテレビ放送を受信するユーザーのユーザー情報を記憶するユーザー情報記憶手段と、
ユーザー受信装置からデジタルテレビ放送を受信するユーザーを判別するユーザー情報判別手段と、
判別されたユーザー情報に基づき、ＣＭ情報記憶手段に記憶されたＣＭ情報を選択するＣＭ情報選択手段と、
ユーザー受信装置に対し選択されたＣＭ情報を送信するＣＭ情報送出手段と、
ユーザー受信装置から送信されたＣＭ情報に対するリアクション情報を受信するリアクション情報受信手段とを少なくとも備え、
ユーザーとの双方向通信によりデジタルテレビ放送においてユーザー情報に対応するＣＭ情報の送信とＣＭ情報に対するリアクション情報の受信とが可能にされた、デジタルテレビ放送システム連動型の双方向ＣＭ情報通信システムであることを特徴としている。
【００１２】
また、上記課題を解決するため、請求項２に記載の発明においては、
請求項１に記載の発明において、
デジタルテレビ放送システムにより放送されるデジタルテレビ放送と、これに連動して放送されるＣＭ情報とは、ユーザー受信装置において、別画面に表示される、デジタルテレビ放送システム連動型の双方向ＣＭ情報通信システムであることを特徴としている。
【００１３】
また、上記課題を解決するため、請求項３に記載の発明においては、
請求項１に記載の発明において、
ユーザー受信装置において、デジタルテレビ放送システムにより放送されるデジタルテレビ放送の合間に挿入されて、ＣＭ情報が同一画面に表示される、デジタルテレビ放送システム連動型の双方向ＣＭ情報通信システムであることを特徴としている。
【００１４】
また、上記課題を解決するため、請求項４に記載の発明においては、
請求項１〜３のいずれかに記載の発明において、
ＣＭ情報記憶手段に記憶される、デジタルテレビ放送に連動して放送される複数のＣＭ情報は、所定時間の広告・各種案内・情報提供のいずれかの情報ごとのＣＭ情報データファイルであって、ＣＭ情報選択手段が選択するためのＣＭ識別情報に関連付けられて記憶されている、デジタルテレビ放送システム連動型の双方向ＣＭ情報通信システムであることを特徴としている。
【００１５】
また、上記課題を解決するため、請求項５に記載の発明においては、
請求項１〜４のいずれかに記載の発明において、
ＣＭ情報記憶手段に記憶される、デジタルテレビ放送に連動して放送される複数のＣＭ情報は、所定時間の広告・各種案内・情報提供のいずれかの情報ごとのＣＭ情報データが複数含まれるＣＭデータファイルライブラリであって、
ＣＭデータファイルライブラリに含まれるそれぞれのＣＭ情報データは、ＣＭ情報選択手段が選択するためのＣＭ識別情報に関連付けられて記憶されている、デジタルテレビ放送システム連動型の双方向ＣＭ情報通信システムであることを特徴としている。
【００１６】
また、上記課題を解決するため、請求項６に記載の発明においては、
請求項１〜５のいずれかに記載の発明において、
ＣＭ情報記憶手段に記憶される、デジタルテレビ放送に連動して放送される複数のＣＭ情報は、期間ごとに発行される紙媒体に掲載される広告・クーポン・各種案内・情報提供のスポンサーと同一スポンサーが提供するＣＭ情報であって、当該紙媒体の期間ごとに対応して編集され、ＣＭ情報データが複数含まれるＣＭデータファイルライブラリである、デジタルテレビ放送システム連動型の双方向ＣＭ情報通信システムであることを特徴としている。
【００１７】
また、上記課題を解決するため、請求項７に記載の発明においては、
請求項１〜６のいずれかに記載の発明において、
ユーザー情報記憶手段に記憶されるユーザー情報には、ユーザーを識別するユーザー識別情報、ユーザー受信装置を識別する受信装置識別情報、ユーザーの地域その他の属性を識別するユーザー属性識別情報、期間ごとに発行される紙媒体に掲載される広告・クーポン・各種案内・情報提供に対するユーザーからのリアクション、の内の少なくともいずれかが含まれており、
ユーザー情報判別手段は、ユーザー受信装置からデジタルテレビ放送を受信するユーザーを判別し、
判別されたユーザー情報に基づき、ＣＭ情報選択するＣＭ情報選択手段がＣＭ情報記憶手段に記憶された前記のＣＭ情報を選択する、デジタルテレビ放送システム連動型の双方向ＣＭ情報通信システムであることを特徴としている。
【００１８】
また、上記課題を解決するため、請求項８に記載の発明においては、
請求項１〜７のいずれかに記載の発明において、
ＣＭ情報を選択するＣＭ情報選択手段は、判別されたユーザー情報に基づき、ＣＭ情報記憶手段に記憶されたＣＭ情報データファイル、またはＣＭ情報データが複数含まれるＣＭデータファイルライブラリ、またはＣＭデータファイルライブラリに含まれるそれぞれのＣＭ情報データを選択する、デジタルテレビ放送システム連動型の双方向ＣＭ情報通信システムであることを特徴としている。
【００１９】
また、上記課題を解決するため、請求項９に記載の発明においては、
請求項１〜８のいずれかに記載の発明において、
ＣＭ情報を選択するＣＭ情報選択手段は、判別されたユーザー情報と、リアクション情報受信手段により受信された、ユーザー受信装置から送信されたＣＭ情報に対するリアクション情報とに基づき、ＣＭ情報記憶手段に記憶されたＣＭ情報データファイル、またはＣＭ情報データが複数含まれるＣＭデータファイルライブラリ、またはＣＭデータファイルライブラリに含まれるそれぞれのＣＭ情報データを選択する、デジタルテレビ放送システム連動型の双方向ＣＭ情報通信システムであることを特徴としている。
【００２０】
また、上記課題を解決するため、請求項１０に記載の発明においては、
請求項１〜９のいずれかに記載の発明において、
ユーザー受信装置に対し選択されたＣＭ情報を送信するＣＭ情報送出手段は、ユーザー受信装置においてデジタルテレビ放送を受信する際にこれに連動してＣＭ情報を送信しユーザー受信装置において受信されるようにした、デジタルテレビ放送システム連動型の双方向ＣＭ情報通信システムであることを特徴としている。
【００２１】
また、上記課題を解決するため、請求項１１に記載の発明においては、
請求項１〜９のいずれかに記載の発明において、
ユーザー受信装置に対し選択されたＣＭ情報を送信するＣＭ情報送出手段は、ユーザー受信装置において自動的に受信され記憶されて、デジタルテレビ放送を受信した際にこれに連動して表示される、デジタルテレビ放送システム連動型の双方向ＣＭ情報通信システムであることを特徴としている。
【００２２】
また、上記課題を解決するため、請求項１２に記載の発明においては、
請求項１〜１１のいずれかに記載の発明において、
ＣＭ情報記憶手段に記憶されたＣＭ情報に関連付けられて、さらにクーポン情報その他のＣＭ付随情報が記憶されており、ユーザー受信装置において、表示されたＣＭ情報を選択することにより、ＣＭ付随情報の表示、ＣＭ付随情報のダウンロード、ＣＭ付随情報である双方向通信のリンク先への移動のいずれかが可能にされた、デジタルテレビ放送システム連動型の双方向ＣＭ情報通信システムであることを特徴としている。
【００２３】
また、上記課題を解決するため、請求項１３に記載の発明においては、
請求項１２に記載の発明において、
ＣＭ付随情報である双方向通信のリンク先への移動は、ＣＭ付随情報を利用する商品またはサービスの予約、商品またはサービスの購入、商品またはサービスの利用を行うための双方向通信システムへの移動である、デジタルテレビ放送システム連動型の双方向ＣＭ情報通信システムであることを特徴としている。
【００２４】
また、上記課題を解決するため、請求項１４に記載の発明においては、
請求項１〜１３のいずれかに記載の発明において、
リアクション情報受信手段が受信する、ユーザー受信装置から送信されたＣＭ情報に対するリアクション情報は、ユーザー受信装置のオン・オフ、ＣＭ情報のユーザー受信装置における受信・ダウンロードまたは表示、ＣＭ付随情報のユーザー受信装置における受信・ダウンロードまたは表示、ＣＭ情報に対するユーザー受信装置におけるリアクション、ＣＭ付随情報に対するユーザー受信装置におけるリアクション、期間ごとに発行される紙媒体に掲載される広告・クーポン・各種案内・情報提供に対するリアクション、のいずれかの情報である、デジタルテレビ放送システム連動型の双方向ＣＭ情報通信システムであることを特徴としている。
【００２５】
また、上記課題を解決するため、請求項１５に記載の発明においては、
請求項１４に記載の発明において、
ＣＭ情報を選択するＣＭ情報選択手段は、判別されたユーザー情報と、リアクション情報受信手段により受信された、ユーザー受信装置から送信されたＣＭ情報に対するリアクション情報とに基づき、ＣＭ情報記憶手段に記憶されたＣＭ情報データファイルまたはＣＭデータファイルライブラリに含まれるＣＭ情報データをユーザーごとにカスタマイズする、デジタルテレビ放送システム連動型の双方向ＣＭ情報通信システムであることを特徴としている。
【００２６】
また、上記課題を解決するため、請求項１６に記載の発明においては、
請求項１５に記載の発明において、
ＣＭ情報記憶手段に記憶されたＣＭ情報データファイルまたはＣＭデータファイルライブラリに含まれるＣＭ情報データをユーザーごとにカスタマイズする処理は、さらにユーザー情報記憶手段に記憶されている他のユーザーのリアクション情報を参照してカスタマイズする、デジタルテレビ放送システム連動型の双方向ＣＭ情報通信システムであることを特徴としている。
【００２７】
また、上記課題を解決するため、請求項１７に記載の発明においては、
請求項１〜１６のいずれかに記載の発明において、
ＣＭ情報記憶手段に記憶されたＣＭ情報データファイルまたはＣＭデータファイルライブラリに含まれるＣＭ情報データごとに、複数のユーザーからのリアクション情報を抽出または集計可能にされたリアクション情報抽出手段がさらに備えられた、デジタルテレビ放送システム連動型の双方向ＣＭ情報通信システムであることを特徴としている。
【００２８】
また、上記課題を解決するため、請求項１８に記載の発明においては、
請求項１７に記載の発明において、
リアクション情報抽出手段により抽出または集計複数のユーザーからのリアクション情報に基づき、ＣＭ情報記憶手段に記憶されたＣＭ情報データファイルまたはＣＭデータファイルライブラリに含まれるＣＭ情報データを、所定の抽出条件により抽出可能にされた、デジタルテレビ放送システム連動型の双方向ＣＭ情報通信システムであることを特徴としている。
【発明の効果】
【００２９】
本発明によれば、デジタル放送を利用したＣＭ情報の提供や、広告情報と連動したクーポンその他のＣＭに付随する情報の表示などにあたり、デジタルテレビの双方向性を利用することにより、動画像ＣＭと連動させて各種のデータ処理を行うシステムを構築し、ＣＭ情報に興味を持ったユーザーからのリアクションを受け、個々のユーザーごとに最も効果的にＣＭ情報やクーポンその他のＣＭに付随する情報を提供することが可能なシステムを提供することができる。
これにより、判別されたユーザー情報に基づくＣＭ情報の選択は、たとえばユーザー受信装置の種類や各種の受信環境、ユーザー受信装置以外の携帯電話やパーソナルコンピュータ等のコンピュータ装置利用の有無、ユーザーの地域、年齢、性別、職業、趣味・嗜好、その他のユーザー属性などに基づき行うことができる。
【００３０】
さらに、ユーザー受信装置から送信されたＣＭ情報に対するリアクション情報に基づき、ＣＭ情報記憶手段に記憶されたＣＭ情報データファイル、またはＣＭ情報データが複数含まれるＣＭデータファイルライブラリ、またはＣＭデータファイルライブラリに含まれるそれぞれのＣＭ情報データを選択することができる。
また、ＣＭ情報やこれに連動するＣＭ付随情報を、あらかじめ自動的にダウンロードしたり、番組と同時にダウンロードしたり、あるいは番組と同一画面または別画面を使用して表示させたりといった様々な形態に応用することができる。
さらに本発明によれば、ＣＭ情報に対するリアクション情報や、さらにＣＭ情報に関連付けられたＣＭ付随情報に対するリアクション情報を集計・抽出することができる。
複数のユーザーからのリアクション情報を集計・抽出して広告主にデータ提供を行ったり、あるいはユーザー属性等に基づきＣＭ情報を抽出することにより、番組や曜日・時間帯に合致したＣＭを抽出したり、さらには地域に合致したＣＭを抽出して他の放送局に提供したりすることも可能になる。
【００３１】
さらに、ＣＭ情報記憶手段に記憶される、デジタルテレビ放送に連動して放送される複数のＣＭ情報は、雑誌フリーペーパーなどの、期間ごとに発行される紙媒体に掲載される広告・クーポン・各種案内・情報提供のスポンサーと同一スポンサーが提供するＣＭ情報として、当該紙媒体の期間ごとに対応して編集されたものを利用することにより、メディア連動型ＣＭ情報の配信とリアクション情報の収集とをすることが可能になる。
【発明を実施するための最良の形態】
【００３２】
以下、本発明の実施の形態について図面を参照して説明する。
図１、図２、図３および図４は、本発明のシステムの基本的な構成の一例を示すシステム構成図である。
本発明のシステムは、デジタルテレビ放送を提供するデジタルテレビ放送システムと、これに連動して視聴者に対する双方向通信を行うために備えられるサーバーと、視聴者であるユーザーが備えるユーザー受信装置とを含み構成されるシステムである。
【００３３】
デジタルテレビ放送システムは、放送局が衛星デジタル放送、地上波デジタル放送などのデジタルテレビ放送番組を送出するシステムである。
デジタルテレビ放送の映像は放送局から中継装置を通じて送られてくる。映像を送出する方式がアナログ放送とは異なり、デジタル信号により行われるものである。デジタル放送では、専用のチューナーをユーザー受信装置に備えることにより、乱れた信号を正常な信号に復元し、高画質・高音質の映像を見ることができる。
デジタル信号は「０」と「１」との組み合わせにより表現され、受信した側の信号が途中の障害の影響で変化してしまっても、ユーザー受信装置において各信号を０と１に修復し判別することができる。
【００３４】
デジタルテレビ放送は、従来のテレビ放送による番組やＣＭなどの放送のほかに、番組を見ながらニュースや天気予報、交通情報、チケットの販売や出演者の情報などのデータをテレビ画面に呼び出すことのできるデータ放送や、さらにクイズ番組や投票等に視聴者がその場で参加できるなど、視聴者ユーザーから送信されるデータを受信する双方向データ通信を行うことができるものである。
図１においては、デジタルテレビ放送システムと、これに連動する後述のサーバーとが連携して備えられ、双方向データ通信を含むデジタルテレビ放送を受信するユーザー受信装置として、デジタルテレビ放送に対応するチューナー等の備えられたテレビ放送受信装置が利用されている例が示されている。
【００３５】
ユーザー受信装置は、受信アンテナと、チューナーと、これに接続されたテレビ放送受像機とを含み構成される。アンテナとチューナーを使用中のテレビ放送受像機につなぐことにより、地上波デジタル放送などのデジタル放送を視聴することができる。
また地上波デジタル放送用のチューナーを取り付けることで、ＢＳ、ＣＳデジタルテレビやＢＳ、ＣＳデジタルチューナー内蔵のプラズマテレビを利用することもでき、マンションなどの集合住宅等においては教養アンテナから各チューナーへ映像を送ることもできる。さらにケーブルテレビでの、地上波デジタルの受信方法は複数の方式がある。ひとつはケーブルテレビ専用のデジタル受信機を利用して受信することもできる。
【００３６】
図２においては、デジタルテレビ放送システムと、これに連動する後述のサーバーとが連携して備えられ、双方向データ通信を含むデジタルテレビ放送を受信するユーザー受信装置として、デジタルテレビ放送に対応するチューナーやテレビ放送受信機能等の備えられたパーソナルコンピュータや携帯電話等のコンピュータ装置兼用のテレビ放送受信装置が利用されている例が示されている。この場合には、さらに図３に示すように、コンピュータ装置兼用のテレビ放送受信装置において、放送とは別個にインターネット等のコンピュータ通信回線を介してデータ送受信を連動させることもできる。
コンピュータ装置兼用のテレビ放送受信装置としては、チューナーと、これに接続されたテレビ放送受像機と、さらにコンピュータ装置とが一体に備えられた専用の受信装置や、コンピュータ装置や携帯電話等にチューナーとテレビ放送受像ソフトウェアとが備えられたコンピュータ装置などがあげられる。また、地上波デジタル放送やＢＳデジタル放送、ＣＳデジタル放送用のチューナー、大容量ハードディスクあるいはＤＶＤその他の記録メディアによる記憶装置、インターネット等のコンピュータ通信回線接続用のモデム等が内蔵された専用セットトップボックスなどであってもよい。
【００３７】
図４は、図１から図３に示す本発明のシステムの形態において、ユーザー受信装置とは別個の携帯電話やパーソナルコンピュータ等のコンピュータ装置に対し、サーバーからのデータ送信を行うなど、ユーザーの他のコンピュータ端末装置との間でのデータ送受信を可能にしたものである。
たとえばユーザー受信装置においてデータ放送による双方向通信が行われ、ユーザーが引き出したいデータを携帯電話などの他の端末装置に送信してもらいたい場合などに利用することができる。携帯電話などのモバイル端末に向けてのデータ送信サービスや、データ放送の音声読み上げ送信サービスなどをすることもできる。
【００３８】
これまでに示したいずれの形態であっても、ユーザー受信装置においては、チューナーが接続された状態であれば、デジタル放送の信号をそのままデジタルビデオやハードディスクレコーダー、ＤＶＤなどの記録メディア等に記憶することができる。ＤＶＤなどのディスク方式では、頭出しが早く、どこからでも再生することができる。後述するように、ハードディスク等の記憶装置に、ＣＭ情報やこれに関連するＣＭ付随情報などのデータが自動保存され、テレビ番組を見ながらリアルタイムに関連情報を表示したりすることができる。
【００３９】
ユーザー受信装置には、双方向データ放送によりユーザー受信装置からデジタルテレビ放送システム及びサーバーに対しデータ送信をするために、ユーザーの選択・指示・データ入力などを行う双方向通信データ入力手段が備えられる。
双方向通信データ入力手段は、具体的にはテレビ放送画面あるいはユーザー受信装置のスイッチ等に対し選択・指示・データ入力を行う機能を備えたリモコン装置が想定される。
この他にも、ユーザー受信装置が備えるスイッチその他の各種のデータ入力手段や、ユーザー受信装置が備えるコンピュータ装置のマウス、キーボード、タッチパネル、その他の各種のデータ入力手段などを用いるようにしてもよい。
【００４０】
次に、デジタルテレビ放送システムと連携して備えられるサーバーについて説明する。
サーバーは、後述するユーザー情報、ＣＭ情報、ＣＭ付随情報や、これらについての各種データ処理を行うプログラムなどを記憶する。
デジタルテレビ放送は、放送されるテレビ番組自体がデジタルデータであり、これらのデジタルデータを記憶するサーバー装置などの記憶手段は、テレビ放送データやＣＭ情報データなどを同一の記憶装置に記憶するようにしてもよい。
しかしながら通常のテレビ放送の番組データと、ユーザー情報などのデータとは、運用上の面からもセキュリティの面からも別個の記憶装置であることが望ましい。
また、サーバーは物理的に同一の装置に設けられる形態や、物理的に複数の装置からなる形態、あるいはネットワークを介して接続される物理的に複数の装置からなる形態などを含み、機能的に同様の機能が実現されるならば、様々な形態を含む。分散型処理やミラーリングによるバックアップをすることもできる。
【００４１】
さらに系列テレビ局などにあっては、後述するユーザー情報、ＣＭ情報、ＣＭ付随情報や、これらについての各種データ処理を行うプログラムなどを共用できるようにすることもできる。たとえばデジタルテレビ放送システムは各テレビ放送局が備え、サーバーを複数のテレビ放送局で共用したり、共用するデータやプログラムのみについて一部を共用サーバーにより機能を実現させるような形態である。
たとえばＣＭ情報のデータファイルライブラリを北海道の放送局が、東京の放送局に供給するといったこともできる。ユーザーの地域や、趣味・嗜好などのユーザー属性や、後述するユーザーからのリアクション情報に基づき地域ごとのＣＭや観光に関するＣＭ情報などをユーザーごとにカスタマイズして供給することもできる。
【００４２】
さらにサーバーは、図３あるいは図４に示すように、インターネットに代表されるコンピュータ通信回線に接続されて備えられる場合には、ユーザー端末からアクセス可能なウェブサーバー等を備える。その他必要に応じサーバーは、アプリケーションサーバー、データベースサーバー、認証サーバー、メールサーバー、その他の各種装置により構成することができる。
次に、サーバーの構成について説明する。
【００４３】
前記サーバーは、デジタルテレビ放送に連動して放送される複数のＣＭ情報を記憶するＣＭ情報記憶手段を備えている。
ＣＭ情報記憶手段に記憶される、デジタルテレビ放送に連動して放送される複数のＣＭ情報は、好ましい形態の一例としては次のようなものである。
１５秒、３０秒などの所定時間の広告・各種案内・情報提供のいずれかの情報ごとのＣＭ情報データファイルであって、後述するＣＭ情報選択手段が選択するためのＣＭ識別情報に関連付けられて記憶されている。ＣＭ識別情報はファイル名や、ＣＭ情報ＩＤなどの識別情報である。
図５は、ＣＭ情報記憶手段に記憶される、ＣＭ識別情報を含むＣＭ情報に関するデータの一例を示している。またこれ以外にも、ＣＭ等を提供するスポンサーに関する情報を記憶するスポンサーデータベースを設けたり、ＣＭ情報ごとにそのジャンル、キーワード、地域、業種、その他の関連情報をＣＭ識別情報に関連付けて記憶することができる。
図６は、広告などの情報ごとにＣＭ情報データファイルが設けられた場合のデータ模式図の一例を示す。
【００４４】
ＣＭ情報記憶手段に記憶される、デジタルテレビ放送に連動して放送される複数のＣＭ情報の別の好ましい形態の一例としては次のようなものである。
ＣＭ情報記憶手段に記憶される、デジタルテレビ放送に連動して放送される複数のＣＭ情報は、所定時間の広告・各種案内・情報提供のいずれかの情報ごとのＣＭ情報データが複数含まれるＣＭデータファイルライブラリであって、ＣＭデータファイルライブラリに含まれるそれぞれのＣＭ情報データは、ＣＭ情報選択手段が選択するためのＣＭ識別情報に関連付けられて記憶されている。たとえば全体で９０分のファイル群からなるＣＭ情報のデータファイルライブラリというような形態などである。
【００４５】
さらに、ＣＭ情報記憶手段に記憶される、デジタルテレビ放送に連動して放送される複数のＣＭ情報は、期間ごとに発行される紙媒体に掲載される広告・クーポン・各種案内・情報提供のスポンサーと同一スポンサーが提供するＣＭ情報であって、当該紙媒体の期間ごとに対応して編集され、ＣＭ情報データが複数含まれるＣＭデータファイルライブラリとすることができる。
たとえば、雑誌やフリーペーパーなどの紙媒体に広告やクーポンを出稿するスポンサーのＣＭ情報を編集するような例であり、特に紙媒体への出稿量や金額に応じてＣＭ情報の本数や長さをを変えたりすることもできる。
図７は、広告などの情報ごとのＣＭ情報データが複数含まれたＣＭ情報データファイルが設けられた場合のデータ模式図の一例を示す。一つのデータファイルに複数のＣＭ情報が含まれており、またそれぞれのＣＭ情報のタイムラインに従いＣＭの頭出しや途中のＣＭ情報からの再生などをすることもできる。
【００４６】
次にサーバーは、デジタルテレビ放送を受信するユーザーのユーザー情報を記憶するユーザー情報記憶手段を備えている。
ユーザー情報記憶手段に記憶されるユーザー情報には、ユーザーを識別するユーザー識別情報、ユーザー受信装置を識別する受信装置識別情報、ユーザーの地域その他の属性を識別するユーザー属性識別情報の内の少なくともいずれかが含まれていることが望ましい。
図８は、ユーザー情報記憶手段に記憶されるユーザー情報の一例を示す。
【００４７】
また、図３、図４に示すようにデジタル放送とは別個にインターネット等のコンピュータ通信手段を介してデータの送受信を行う場合には、ユーザー端末からインターネット等の通信手段を介してアクセスするユーザーを認証するユーザー認証手段が備えられる。ユーザー認証には様々な認証方法を利用することができるが、代表的な方式としては、ユーザー端末からユーザー登録を行い、コンテンツ配信を受けるためのユーザーＩＤやパスワードなどが発行される形態が一般的には用いられる。
【００４８】
次にサーバーは、ユーザー受信装置からデジタルテレビ放送を受信するユーザーを判別するユーザー情報判別手段を備えている。
ユーザー情報判別手段は、ユーザー受信装置からデジタルテレビ放送を受信するユーザーを判別し、判別されたユーザー情報に基づき、ＣＭ情報選択するＣＭ情報選択手段がＣＭ情報記憶手段に記憶された前記のＣＭ情報を選択する。
ユーザーの判別は、ユーザーを識別するユーザー識別情報、ユーザー受信装置を識別する受信装置識別情報、ユーザーの地域その他の属性を識別するユーザー属性識別情報などを参照して行う。
また、期間ごとに発行される雑誌やクーポン誌、フリーペーパーなどの紙媒体に掲載される広告・クーポン・各種案内・情報提供に対するユーザーからのリアクションを履歴として雑誌等の紙媒体別、スポンサー別に記憶することにより、紙媒体でのリアクション情報を参照して、ＣＭ情報選択するＣＭ情報選択手段がＣＭ情報記憶手段に記憶された前記のＣＭ情報を選択することもできる。
【００４９】
次にサーバーは、判別されたユーザー情報に基づき、ＣＭ情報記憶手段に記憶されたＣＭ情報を選択するＣＭ情報選択手段を備えている。
ＣＭ情報を選択するＣＭ情報選択手段は、判別されたユーザー情報に基づき、ＣＭ情報記憶手段に記憶されたＣＭ情報データファイル、またはＣＭ情報データが複数含まれるＣＭデータファイルライブラリ、またはＣＭデータファイルライブラリに含まれるそれぞれのＣＭ情報データを選択する。
判別されたユーザー情報に基づくＣＭ情報の選択は、たとえばユーザー受信装置の種類や各種の受信環境、ユーザー受信装置以外の携帯電話やパーソナルコンピュータ等のコンピュータ装置利用の有無、ユーザーの地域、年齢、性別、職業、趣味・嗜好、その他のユーザー属性などに基づき行うことができる。
【００５０】
さらに好ましい一例は、ＣＭ情報を選択するＣＭ情報選択手段は、判別されたユーザー情報と、後述するリアクション情報受信手段により受信された、ユーザー受信装置から送信されたＣＭ情報に対するリアクション情報とに基づき、ＣＭ情報記憶手段に記憶されたＣＭ情報データファイル、またはＣＭ情報データが複数含まれるＣＭデータファイルライブラリ、またはＣＭデータファイルライブラリに含まれるそれぞれのＣＭ情報データを選択するものである。
【００５１】
この場合には、サーバーは、ユーザー受信装置から送信されたＣＭ情報に対するリアクション情報を受信するリアクション情報受信手段を備えている。
ユーザーとの双方向通信によりデジタルテレビ放送においてユーザー情報に対応するＣＭ情報の送信とＣＭ情報に対するリアクション情報の受信とが可能にされている。
リアクション情報受信手段が受信する、ユーザー受信装置から送信されたＣＭ情報に対するリアクション情報は、ユーザー受信装置のオン・オフ、ＣＭ情報のユーザー受信装置における受信・ダウンロードまたは表示、ＣＭ付随情報のユーザー受信装置における受信・ダウンロードまたは表示、ＣＭ情報に対するユーザー受信装置におけるリアクション、ＣＭ付随情報に対するユーザー受信装置におけるリアクション、期間ごとに発行される紙媒体に掲載される広告・クーポン・各種案内・情報提供に対するリアクション、のいずれかの情報である。
ユーザーのリアクション情報に基づくＣＭ情報の選択は、たとえばユーザー受信装置のオン・オフ、ＣＭ情報のユーザー受信装置における受信・ダウンロードまたは表示、ＣＭ付随情報のユーザー受信装置における受信・ダウンロードまたは表示、ＣＭ情報に対するユーザー受信装置におけるリアクション、ＣＭ付随情報に対するユーザー受信装置におけるリアクション、期間ごとに発行される紙媒体に掲載される広告・クーポン・各種案内・情報提供に対するリアクション、などに基づき行うことができる。
たとえば、一つのデータファイルの中に複数のＣＭ情報が含まれている場合において、データファイルライブラリのスタートは決まっているが、ユーザがユーザー受信装置をつけた・消したといったリアクション情報をサーバーにおいて記憶しており、ひとつの放送が終わるまでの間には同一のＣＭ情報が流れることはない、あるいは次回にテレビを受信するときに前回まで放映されたＣＭ情報以降からのＣＭ情報を放映するといったようにユーザごとにＣＭ情報の進み具合が違うといったカスタマイズをすることができる。
さらに、デジタルテレビ放送のＣＭ情報と、紙媒体での広告やクーポンとを連動させておくことにより、期間ごとに発行される紙媒体に掲載される広告・クーポン・各種案内・情報提供に対するリアクションを、デジタルテレビのＣＭ情報に対するリアクションとして受信することができる。たとえば、紙媒体の広告にクイズやアンケートが出題され、デジタルテレビ放送のＣＭ情報において回答を選択・入力することなどが一例である。
【００５２】
次にサーバーは、ユーザー受信装置に対し選択されたＣＭ情報を送信するＣＭ情報送出手段を備えている。ＣＭ情報の送出は、通常のデジタル放送の放送番組の送出と同様に行われるものである。
また、デジタル放送波とは別個に、図３または図４に示すシステムにおいて、インターネット等を介してユーザー端末にＣＭ情報や、後述するクーポンその他のＣＭ付随情報を送信するようにしてもよい。
ユーザー受信装置に対し選択されたＣＭ情報を送信するＣＭ情報送出手段の好ましい一例は、ユーザー受信装置においてデジタルテレビ放送を受信する際にこれに連動してＣＭ情報を送信しユーザー受信装置において受信されるものである。ユーザーがユーザー受信装置をつけるとサーバーからＣＭ情報が流れる。
またユーザー受信装置に対し選択されたＣＭ情報を送信するＣＭ情報送出手段の好ましい別の一例は、ユーザー受信装置において自動的に受信され記憶されて、デジタルテレビ放送を受信した際にそこから読み出して、番組に連動して表示されるものである。自動的にダウンロードされるＣＭ情報のデータファイルは、ユーザー受信装置ごとにユーザー属性などに応じてカスタマイズされたＣＭ情報が受信され記憶されるようにしてもよい。
【００５３】
ユーザー受信装置においてＣＭ情報の表示される方法としては、デジタルテレビ放送システムにより放送されるデジタルテレビ放送の合間に挿入されて、ＣＭ情報が同一画面に表示されるものが通常の一例である。
一方、別の方法としては、デジタルテレビ放送システムにより放送されるデジタルテレビ放送と、これに連動して放送されるＣＭ情報とは、ユーザー受信装置において、別画面に表示されるようにしてもよい。別画面の場合には、デジタル放送局側で２つ以上の画面に分割されてユーザー受信装置に表示されるようにする方法のほか、２つ以上の画面を備えたユーザー受信装置のそれぞれの画面に対し表示がされるようにユーザー受信装置に対し放送されるようにしてもよい。また別画面の一方には放送番組がデジタル放送システムから送信され、もう一方の画面にはあらかじめ自動受信されユーザー受信装置の記憶手段に記憶されているＣＭ情報が表示されるようにしてもよい。
【００５４】
さらに好ましい一例としては、ＣＭ情報記憶手段に記憶されたＣＭ情報に関連付けられて、さらにクーポン情報その他のＣＭ付随情報が記憶されており、ユーザー受信装置において、表示されたＣＭ情報を選択することにより、ＣＭ付随情報の表示、ＣＭ付随情報のダウンロード、ＣＭ付随情報である双方向通信のリンク先への移動のいずれかが可能にされている。
表示されたＣＭ情報の選択は、たとえばリモコンによる操作や、ボタン操作などである。
ＣＭ付随情報は、ＣＭ情報に関連するクーポンや、関連する詳細情報、予約システムとクーポン、ディスカウントシステムなどであり、ユーザーの選択により表示、ダウンロード等をすることが可能にされたものである。
【００５５】
ＣＭ付随情報である双方向通信のリンク先への移動は、ＣＭ付随情報を利用する商品またはサービスの予約、商品またはサービスの購入、商品またはサービスの利用を行うための双方向通信システムへの移動である。ＣＭ情報から関連する詳細情報へリンクし、さらに詳細な情報を入手したり、さらにはインターネット等に連動した双方向機能により、各種予約やショッピングを楽しむことや、テレビ番組のプレゼント告知への応募、クイズ番組やアンケートなど視聴者参加型のテレビ番組への参加も簡単なリモコン操作で可能となる。
【００５６】
さらに好ましい一例としては、ＣＭ情報を選択するＣＭ情報選択手段は、判別されたユーザー情報と、リアクション情報受信手段により受信された、ユーザー受信装置から送信されたＣＭ情報に対するリアクション情報とに基づき、ＣＭ情報記憶手段に記憶されたＣＭ情報データファイルまたはＣＭデータファイルライブラリに含まれるＣＭ情報データをユーザーごとにカスタマイズする。
【００５７】
ＣＭ情報記憶手段に記憶されたＣＭ情報データファイルまたはＣＭデータファイルライブラリに含まれるＣＭ情報データをユーザーごとにカスタマイズする処理の一例として、さらにユーザー情報記憶手段に記憶されている他のユーザーのリアクション情報を参照してカスタマイズすることができる。
たとえば、ＣＭ情報でお気に入りのお店や商品に対しリアクションを起こすと、そのリアクション情報がリアルタイムあるいは放送シャットダウン後に、サーバー側に送信され、どのＣＭ情報を選んだかを記憶して、データファイルライブラリには選択等のリアクションがされたＣＭ情報とジャンルや地域等が近似しているＣＭ情報が追加されるような形態である。
【００５８】
次に本発明のシステムによれば、ＣＭ情報に対するリアクション情報や、さらにＣＭ情報に関連付けられたＣＭ付随情報に対するリアクション情報を集計・抽出することができるようにしてもよい。
ＣＭ情報記憶手段に記憶されたＣＭ情報データファイルまたはＣＭデータファイルライブラリに含まれるＣＭ情報データごとに、複数のユーザーからのリアクション情報を抽出または集計可能にされたリアクション情報抽出手段がさらに備えられている。この場合には、ＣＭファイル追加と共にＣＭ協調フィルタを使用して、たとえばあるＣＭ情報Ａを選択した人は別のＣＭ情報Ｂも購入しているといった他のユーザーのリアクション情報を参照する。
複数のユーザーからのリアクション情報を抽出または集計可能にされていれば、ＣＭ情報を提供するスポンサー企業等に対しユーザー情報等を抽出することもできる。たとえば観光情報にアクションをおこしたユーザー集団を記憶していて、スポンサー企業である旅行代理店に対しパッケージ旅行の提案をするといったことも可能になる。
【００５９】
また逆に、リアクション情報に基づき、複数のＣＭ情報の中からＣＭ情報を抽出可能にすることも好ましい。たとえば、北海道からリアクションの多かったＣＭ情報を抽出したり、女性からのリアクションが多かったＣＭ情報を抽出したりするような形態などが想定される。
リアクション情報抽出手段により抽出または集計複数のユーザーからのリアクション情報に基づき、ＣＭ情報記憶手段に記憶されたＣＭ情報データファイルまたはＣＭデータファイルライブラリに含まれるＣＭ情報データを、所定の抽出条件により抽出可能にされている。
たとえばＣＭ情報のデータファイルライブラリを北海道の放送局が、東京の放送局に供給するといったこともできる。ユーザーの地域や、趣味・嗜好などのユーザー属性や、ユーザーからのリアクション情報に基づき地域ごとのＣＭや観光に関するＣＭ情報などをユーザーごとにカスタマイズして供給することもできる。
さらに雑誌やクーポン誌、フリーペーパーなどのように期間ごとに発行される紙媒体に掲載される、広告・クーポン・各種案内・情報提供に対するリアクションの履歴などに対応して、当該スポンサーに関するＣＭ情報などをユーザーごとにカスタマイズして供給することもできる。たとえば紙媒体のクーポンを使用したことがあるユーザーに対しては、使用したことのあるクーポンのスポンサーがデジタルテレビ放送により提供されるＣＭ情報を優先して供給するような例である。
【００６０】
以下、本発明の基本的な処理の流れについて説明する。
図７、図８及び図９は、本発明の基本的な処理の流れの一例を示すフローチャートである。なお、ここに示す処理の流れは一例であって、これに限定されるものではなく、様々な応用や変形が可能である。
初めに、図７を参照して、受信アンテナとチューナーとを備えたテレビ放送受像機や、デジタルテレビ放送に対応するチューナーやテレビ放送受信機能等の備えられたパーソナルコンピュータや携帯電話等のコンピュータ装置兼用のテレビ放送受信装置などのユーザー受信装置において、ユーザー受信装置においてデジタルテレビ放送を受信する際にこれに連動してＣＭ情報を送信しユーザー受信装置において受信される処理について説明する。
ＣＭ情報の送出は、通常のデジタル放送の放送番組の送出と同様に行われ、ユーザーがユーザー受信装置をつけるとＣＭ情報が別画面に表示されたり、同一画面において番組の合間にＣＭが挿入されたりして表示される。
図３または図４に示すシステムにおいて、デジタル放送波とは別個に、インターネット等を介してユーザー端末にＣＭ情報を送信するようにしてもよい。
【００６１】
ユーザー受信装置のスイッチを入れるなどして電源をオンにし（Ｓ１００）、チャンネルの選択やリモコン操作などにより受信する放送局を選択する（Ｓ１０１）。
ユーザー受信装置からはユーザーあるいはユーザー受信装置等を識別するユーザー情報が送信され（Ｓ１０２）、デジタルテレビ放送システムと連携して備えられるサーバーにおいて、ユーザー情報判別手段がユーザー情報記憶手段を参照し、ユーザーを判別する（Ｓ１０３）。
ＣＭ情報選択手段が、ユーザー情報やリアクション情報等を参照し、判別されたユーザーのユーザー情報やユーザー属性、これまでのリアクションの履歴などに対応するＣＭ情報を選択し（Ｓ１０４）、ユーザー受信装置に対しＣＭ情報を送出する。
ユーザー受信装置においてはＣＭ情報を受信して（Ｓ１０５）、別画面あるいは同一画面にＣＭ情報を表示する（Ｓ１０６）。受信したＣＭ情報データはいったんユーザー受信装置が備えるハードディスクなどの記憶手段に記憶し、そこから読み出して表示されるようにしてもよい。
また番組はデジタルテレビ放送システムから番組データを受信することにより、ユーザー受信装置において番組データを表示する。
【００６２】
次に図８を参照して、受信アンテナとチューナーとを備えたテレビ放送受像機や、デジタルテレビ放送に対応するチューナーやテレビ放送受信機能等の備えられたパーソナルコンピュータや携帯電話等のコンピュータ装置兼用のテレビ放送受信装置などのユーザー受信装置において、あらかじめユーザー受信装置において自動的に受信され記憶されて、デジタルテレビ放送を受信した際にそこから読み出して、番組に連動して表示される処理について説明する。自動的にダウンロードされるＣＭ情報のデータファイルは、ユーザー受信装置ごとにユーザー属性などに応じてカスタマイズされたＣＭ情報が受信され記憶されるようにしてもよい。
【００６３】
ユーザー情報・リアクション情報等を参照し、あらかじめユーザー受信装置の記憶手段にＣＭ情報をダウンロードし記憶される。ＣＭ情報のダウンロードは、たとえば一定時間ごとにユーザー受信装置からサーバーにアクセスしてダウンロードを行う形態などが好ましい。ユーザー受信装置からユーザーあるいはユーザー受信装置等を識別するユーザー情報が送信され、デジタルテレビ放送システムと連携して備えられるサーバーにおいて、ユーザー情報判別手段がユーザー情報記憶手段を参照し、ユーザーを判別する。ＣＭ情報選択手段が、ユーザー情報やリアクション情報等を参照し、判別されたユーザーのユーザー情報やユーザー属性、これまでのリアクションの履歴などに対応するＣＭ情報を選択し、ユーザー受信装置に対しＣＭ情報を送出する。
次に、あらかじめダウンロードされたＣＭ情報はユーザー受信装置が備える記憶手段に記憶されており、ユーザーが番組を見る際に電源をオンにした時など、デジタルテレビ放送を受信した際にそこから読み出して、番組に連動して表示される。
ユーザー受信装置のスイッチを入れるなどして電源をオンにし（Ｓ２００）、チャンネルの選択やリモコン操作などにより受信する放送局を選択する（Ｓ２０１）。
ユーザー情報やリアクション情報に基づき更新するべきＣＭ情報があるか否かをチェックすることが好ましく、またリアクション情報もサーバーにおいて随時更新されることが好ましく、こうした場合には、ユーザー受信装置からはユーザーあるいはユーザー受信装置等を識別するユーザー情報が送信され（Ｓ２０２）、デジタルテレビ放送システムと連携して備えられるサーバーにおいて、ユーザー情報判別手段がユーザー情報記憶手段を参照し、ユーザーを判別する（Ｓ２０３）。
更新するＣＭ情報がない場合には（Ｓ２０４）、記憶手段から、あらかじめダウンロードされたＣＭ情報を選択し（Ｓ２０６）、番組に連動してＣＭ情報が別画面に表示されたり、同一画面において番組の合間にＣＭが挿入されたりして表示される（Ｓ２０７）。
更新するＣＭ情報がある場合には（Ｓ２０４）、ユーザー情報・リアクション情報等を参照し、ＣＭ情報をダウンロードして受信し更新する（Ｓ２０５）。ＣＭ情報を選択し（Ｓ２０６）、番組に連動してＣＭ情報が別画面に表示されたり、同一画面において番組の合間にＣＭが挿入されたりして表示される（Ｓ２０７）。
また番組はデジタルテレビ放送システムから番組データを受信することにより、ユーザー受信装置において番組データを表示する。
【００６４】
次に図９を参照して、表示されるＣＭ情報に関連付けられたＣＭ付随情報の送受信を行う処理について説明する。
ユーザー受信装置においてＣＭ情報が表示された状態において、リモコン操作、ボタン操作等によりＣＭ情報を選択する（Ｓ３００）。ＣＭ付随情報は、ＣＭにより告知等がされる商品・サービスその他に関連するさらに詳細な情報や、クーポン情報や割引情報、各種のキャンペーン情報などが一例である。また、ＣＭにより告知等がされる商品・サービスその他を購入したり予約したりするためのウェブサイトなどであって、ハイパーリンクの選択・クリック等により移動可能な形態などが一例である。ＣＭ付随情報である双方向通信のリンク先への移動は、ＣＭ付随情報を利用する商品またはサービスの予約、商品またはサービスの購入、商品またはサービスの利用を行うための双方向通信システムへの移動である。
選択したＣＭ情報に対するリアクションとして、これに関連づけられたＣＭ付随情報の表示、ＣＭ付随情報のダウンロード、ＣＭ付随情報である双方向通信のリンク先への移動等のリアクションを、リモコン操作、ボタン操作等により行い（Ｓ３０１）、ＣＭ情報の受信・ダウンロード・表示、ＣＭ付随情報の受信・ダウンロード・表示、ＣＭ情報に対するリアクション、ＣＭ付随情報に対するリアクション等のリアクション情報をサーバーに送信する（Ｓ３０２）。
ユーザーがとったリアクションに従い、ＣＭ付随情報のダウンロード・表示、ハイパーリンク先への移動等の処理が行われる。
また、ユーザーがとったリアクション情報は、リアクション情報受信手段が受信し（Ｓ３０３）、リアクション情報を、ユーザー情報と、リアクションがあったＣＭ識別情報等に関連付けて、リアクション情報記憶手段に記憶する（Ｓ３０４）。これにより、ＣＭ情報に対するリアクション情報や、さらにＣＭ情報に関連付けられたＣＭ付随情報に対するリアクション情報を集計・抽出することができるようすることも可能になる。
【産業上の利用可能性】
【００６５】
以上詳細に説明したように、本発明によれば、デジタル放送を利用したＣＭ情報の提供や、広告情報と連動したクーポンその他のＣＭに付随する情報の表示などにあたり、デジタルテレビの双方向性を利用することにより、動画像ＣＭと連動させて各種のデータ処理を行うシステムを構築し、ＣＭ情報に興味を持ったユーザーからのリアクションを受け、個々のユーザーごとに最も効果的にＣＭ情報やクーポンその他のＣＭに付随する情報を提供することが可能なシステムを提供することができる。
【図面の簡単な説明】
【００６６】
【図１】本発明のシステムの基本的な構成の一例を示すシステム構成図である。
【図２】本発明のシステムの基本的な構成の一例を示すシステム構成図である。
【図３】本発明のシステムの基本的な構成の一例を示すシステム構成図である。
【図４】本発明のシステムの基本的な構成の一例を示すシステム構成図である。
【図５】ＣＭ情報記憶手段に記憶される、ＣＭ識別情報を含むＣＭ情報に関するデータの一例を示す図である。
【図６】広告などの情報ごとにＣＭ情報データファイルが設けられた場合のデータ模式図の一例を示す図である。
【図７】広告などの情報ごとのＣＭ情報データが複数含まれたＣＭ情報データファイルが設けられた場合のデータ模式図の一例を示す図である。
【図８】ユーザー情報記憶手段に記憶されるユーザー情報の一例を示す図である。
【図９】本発明の基本的な処理の流れの一例を示すフローチャートである。
【図１０】本発明の基本的な処理の流れの一例を示すフローチャートである。
【図１１】本発明の基本的な処理の流れの一例を示すフローチャートである。
【図６】
2005210307.tif 000003
【図１１】
2005210307.tif 000004
【図１】
2005210307.tif 000005
【図２】
2005210307.tif 000006
【図３】
2005210307.tif 000007
【図４】
2005210307.tif 000008
【図５】
2005210307.tif 000009
【図７】
2005210307.tif 000010
【図８】
2005210307.tif 000011
【図９】
2005210307.tif 000012
【図１０】
2005210307.tif 000013